(57)【特許請求の範囲】
【請求項１】
見開き原稿の各ページに対応する画像を１ページずつ読み取る読取部と、
前記読取部が読み取った読取画像の向きを順次検出する向き検出部と、
前記向き検出部が前記読取画像の向きとして、第１の向き及び前記第１の向きとは反対の第２の向きを交互に検出したか否かを判定する向き判定部と、
前記向き検出部が前記第１の向き及び前記第２の向きを交互に検出していないと前記向き判定部が判定すると、エラーを通知する通知部と、
利用者による入力操作を受け付ける入力部と、
前記読取画像の順番を入れ替える順番入替部と
を備え、
前記通知部は、前記エラーと、前記読取部が今回読み取った今回読取画像の順番と前記読取部が次回読み取る次回読取画像の順番とを入れ替えるか否かを選択させるメッセージとを前記利用者に通知し、
前記入力部は、前記エラーと前記メッセージとを前記通知部が通知した後に、前記今回読取画像の順番と前記次回読取画像の順番とを入れ替える旨を示す前記入力操作を受け付け、
前記順番入替部は、前記今回読取画像の順番と前記次回読取画像の順番とを入れ替える旨を示す前記入力操作を前記入力部が受け付けると、前記今回読取画像の順番と前記次回読取画像の順番とを入れ替える、原稿読取装置。
【請求項２】
前記読取部が前回読み取った前回読取画像の向きを記憶する記憶部を更に備え、
前記向き判定部は、前記向き検出部が今回検出した前記読取画像の向きが、前記前回読取画像の向きと一致するか否かを判定することにより、前記向き検出部が前記第１の向き及び前記第２の向きを交互に検出したか否かを判定する、請求項１に記載の原稿読取装置。
【請求項３】
前記見開き原稿の第１ページの前記読取画像の向きとして、予め設定された向きを設定する向き設定部を更に備える、請求項１又は請求項２に記載の原稿読取装置。
【請求項４】
前記見開き原稿の第１ページが白紙であるか否かを検知する白紙検知部を更に備え、
前記見開き原稿の第１ページが白紙であると前記白紙検知部が検知すると、前記向き設定部は、前記見開き原稿の第１ページの前記読取画像の向きとして、予め設定された向きを設定する、請求項３に記載の原稿読取装置。
【請求項５】
前記読取部が前回読み取った前回読取画像の向きを記憶する記憶部と、
前記今回読取画像の向きを、前記前回読取画像の向きに基づいて設定する向き設定部と
を更に備える、請求項１に記載の原稿読取装置。
【請求項６】
前記読取部が読み取ったページが白紙であるか否かを検知する白紙検知部を更に備え、
前記読取部が今回読み取ったページが白紙であると前記白紙検知部が検知すると、前記向き設定部は、前記前回読取画像の向きに基づいて前記今回読取画像の向きを設定する、請求項５に記載の原稿読取装置。
【請求項７】
前記今回読取画像を前記記憶部から削除する読取画像削除部を更に備える、請求項５又は請求項６に記載の原稿読取装置。
【請求項８】
前記読取画像削除部は、前記今回読取画像に加えて、前記前回読取画像を削除する、請求項７に記載の原稿読取装置。
【請求項９】
見開き原稿の各ページに対応する画像を１ページずつ読み取る読取部と、
前記読取部が読み取った読取画像の向きを順次検出する向き検出部と、
前記向き検出部が前記読取画像の向きとして、第１の向き及び前記第１の向きとは反対の第２の向きを交互に検出したか否かを判定する向き判定部と、
前記向き検出部が前記第１の向き及び前記第２の向きを交互に検出していないと前記向き判定部が判定すると、エラーを通知する通知部と、
前記見開き原稿の第１ページの前記読取画像の向きとして、予め設定された向きを設定する向き設定部と、
前記見開き原稿の第１ページが白紙であるか否かを検知する白紙検知部と
を備え、
前記見開き原稿の第１ページが白紙であると前記白紙検知部が検知すると、前記向き設定部は、前記見開き原稿の第１ページの前記読取画像の向きとして、予め設定された向きを設定する、原稿読取装置。
【請求項１０】
見開き原稿の各ページに対応する画像を１ページずつ読み取る読取部と、
前記読取部が読み取った読取画像の向きを順次検出する向き検出部と、
前記向き検出部が前記読取画像の向きとして、第１の向き及び前記第１の向きとは反対の第２の向きを交互に検出したか否かを判定する向き判定部と、
前記向き検出部が前記第１の向き及び前記第２の向きを交互に検出していないと前記向き判定部が判定すると、エラーを通知する通知部と、
前記読取部が前回読み取った前回読取画像の向きを記憶する記憶部と、
前記読取部が今回読み取った今回読取画像の向きを、前記前回読取画像の向きに基づいて設定する向き設定部と
前記読取部が読み取ったページが白紙であるか否かを検知する白紙検知部と
備え、
前記読取部が今回読み取ったページが白紙であると前記白紙検知部が検知すると、前記向き設定部は、前記前回読取画像の向きに基づいて前記今回読取画像の向きを設定する、原稿読取装置。
【発明の詳細な説明】
【技術分野】
【０００１】
本発明は、原稿読取装置、及び、原稿読取方法に関する。
【背景技術】
【０００２】
スキャナー等の原稿読取装置は、原稿台に載置された原稿の画像を読み取る。見開き原稿の各ページを読み取る場合、利用者は、見開き原稿を１ページずつ捲ることによって、読取対象のページを開いて原稿台に載置する。
【０００３】
ところで、原稿読取装置の中には、原稿台のサイズが見開き原稿のサイズよりも小さいものもある。このような原稿読取装置を用いて見開き原稿の各ページを読み取る場合、利用者は、見開き原稿を１ページずつ順次原稿台に載置する。しかしながら、利用者は、見開き原稿のページを捲って原稿台に載置する動作を複数回繰り返しているうちに、原稿台に載置すべき見開き原稿のページを誤ってしまう可能性がある。この結果、利用者の意図しない順序で原稿の画像が読み取られてしまう虞がある。あるいは、あるページの画像が読み取られなかったり、同じページの画像が重複して読み取られてしまう虞がある。そこで、このような問題を解決する様々な技術が提案されている。
【０００４】
例えば、特許文献１には、原稿読取装置が読み取った読取画像を示すプレビュー画像を表示装置に表示する画像形成装置が開示されている。詳しくは、特許文献１の画像形成装置は、原稿の画像を読み取る度にプレビュー画像を表示装置に表示する。
【先行技術文献】
【特許文献】
【０００５】
【特許文献１】特開２０１０−１０９５５９号公報
【発明の概要】
【発明が解決しようとする課題】
【０００６】
しかしながら、特許文献１の画像形成装置を利用する利用者は、原稿の画像が読み取られる度にプレビュー画像を確認しなければならず、原稿の画像の読み取り作業が煩雑になるという問題があった。
【０００７】
本発明は、上記課題に鑑み、見開き原稿の読み取り作業の効率化を図ることができる原稿読取装置、及び、原稿読取方法を提供することを目的とする。
【課題を解決するための手段】
【０００８】
本発明の原稿読取装置は、読取部と、向き検出部と、向き判定部と、通知部とを備える。前記読取部は、見開き原稿の各ページに対応する画像を１ページずつ読み取る。前記向き検出部は、前記読取部が読み取った読取画像の向きを順次検出する。前記向き判定部は、前記向き検出部が前記読取画像の向きとして、第１の向き及び前記第１の向きとは反対の第２の向きとを交互に検出したか否かを判定する。前記通知部は、前記向き検出部が前記第１の向き及び前記第２の向きを交互に検出していないと前記向き判定部が判定すると、エラーを通知する。
【発明の効果】
【０００９】
本発明によれば、本などの見開き原稿の読み取り作業の効率化を図ることができる。
【図面の簡単な説明】
【００１０】
【図１】（ａ）は、本発明の実施形態に係る原稿読取装置の外観を示す斜視図である。（ｂ）は、図１（ａ）の原稿台に、見開き原稿を載置した状態を示す斜視図である。
【図２】本発明の実施形態に係る原稿読取装置の構成を示すブロック図である。
【図３】（ａ）は、図１に示す原稿台の上に、見開き原稿が第１の方向に載置された状態を示す図である。（ｂ）は、図３（ａ）の見開き原稿の読取画像を示す図である。
【図４】（ａ）は、図１に示す原稿台の上に、見開き原稿が第２の方向に載置された状態を示す図である。（ｂ）は、図４（ａ）の見開き原稿の読取画像を示す図である。
【図５】本発明の実施形態に係る原稿読取装置の動作を示すフローチャートである。
【図６】本発明の実施形態に係る原稿読取装置の動作を示すフローチャートである。
【発明を実施するための形態】
【００１１】
以下、図面を参照して、本発明の実施形態に係る原稿読取装置、及び、原稿読取方法の実施形態について説明する。なお、図中、同一又は相当部分については同一の参照符号を付して説明を繰り返さない。
【００１２】
まず、図１を参照して、複写機、複合機、スキャナー等の原稿読取装置１の構成について説明する。図１（ａ）は、原稿読取装置１の外観を示す斜視図である。図１（ｂ）は、原稿読取装置１が備える原稿台２１に、見開き原稿Ｂを載置した状態を示す斜視図である。図１（ａ）に示すように原稿読取装置１は、原稿台２１に加え、通知部の一例である表示部３と、入力部４とを備える。表示部３は、各種情報を表示する。本実施形態では、表示部３は、エラーを通知する。表示部３は、例えば、液晶ディスプレーである。入力部４は、利用者による入力操作を受け付ける。入力部４は、例えば、操作パネルである。
【００１３】
図１（ｂ）に示すように、利用者は、原稿台２１の上に見開き原稿Ｂを開いて１ページずつ載置する。原稿読取装置１は、原稿台２１の上に載置された見開き原稿Ｂの各ページに対応する画像を１ページずつ読み取る。
【００１４】
次に、図２について詳細に説明する。
【００１５】
図２に示すように、原稿読取装置１は、読取部２、画像処理用ＡＳＩＣ５、記憶部１１、読取制御部１２、及び、操作制御部１３を更に備える。
【００１６】
読取部２は、見開き原稿Ｂの各ページに対応する画像を１ページずつ読み取る。以下、読取部２によって読み取られた画像を読取画像と記載する。読取部２は、画像を読み取ると、読取画像に対応する信号を読取制御部１２へ送信する。読取部２は、例えば、ラインセンサーである。
【００１７】
入力部４は、利用者による入力操作に応じた信号を操作制御部１３へ送信する。
【００１８】
読取制御部１２は、読取部２の動作を制御する。読取制御部１２は、読取部２から送信された信号に基づいて読取画像の画像データを生成する。読取制御部１２が生成した読取画像の画像データは、画像処理用ＡＳＩＣ５に送信される。
【００１９】
操作制御部１３は、画像処理用ＡＳＩＣ５によって処理された結果を表示部３に表示させる。また、操作制御部１３は、入力部４から送信された信号に基づいて、入力データを生成する。操作制御部１３は、入力データを画像処理用ＡＳＩＣ５に送信する。
【００２０】
記憶部１１は、ＨＤＤ（Ｈａｒｄ  Ｄｉｓｋ  Ｄｒｉｖｅ）で構成される。記憶部１１は、読取画像の画像データ、及び、読取画像の属性のデータを記憶する。本実施形態では、記憶部１１は、読取画像の属性のデータとして、読取画像の向きを示すデータ、及び、読取画像が読取部２によって読み取られた順番を示すデータを記憶する。読取画像の向きは、第１の向き、及び、第２の向きのいずれかを示す。なお、読取画像の属性のデータには、例えば、読取画像がランドスケープ及びポートレートのいずれであるかを示すデータも含まれる。
【００２１】
画像処理用ＡＳＩＣ５は、操作制御部１３から送信された入力データを受け付ける。画像処理用ＡＳＩＣ５は、実行した処理の結果を操作制御部１３へ送信する。画像処理用ＡＳＩＣ５は、読取制御部１２から送信された読取画像の画像データを記憶部１１に記憶させる。
【００２２】
画像処理用ＡＳＩＣ５は、記憶部１１に記憶された読取画像の画像データを読み出して、読み出した読取画像の画像データに対して各種処理を実行する。処理が実行された後の読取画像の画像データは、画像処理用ＡＳＩＣ５によって記憶部１１に記憶される。以下では、画像処理用ＡＳＩＣ５が各種処理を実行する際に、記憶部１１から読取画像の画像データを読み出し、処理された後の読取画像の画像データを記憶部１１へ記憶させることについての説明は省略する。また、画像処理用ＡＳＩＣ５が読取画像の画像データに対して処理を実行することを、画像処理用ＡＳＩＣ５が読取画像に対して処理を実行すると記載する場合がある。
【００２３】
画像処理用ＡＳＩＣ５は、向き検出部５１、向き判定部５２、向き設定部５３、白紙検知部５４、及び、画像編集部５５を備える。
【００２４】
向き検出部５１は、読取部２によって今回読み取られた読取画像の向きを検出する。以下、読取部２によって今回読み取られた読取画像を今回読取画像と記載する。向き検出部５１は、ＯＣＲ（ｏｐｔｉｃａｌ  ｃｈａｒａｃｔｅｒ  ｒｅｃｏｇｎｉｔｉｏｎ）の技術を利用して、読取画像の向きを検出する。画像処理用ＡＳＩＣ５は、向き検出部５１によって検出された読取画像の向きを記憶部１１に記憶させる。
【００２５】
向き判定部５２は、向き検出部５１が今回読取画像の向きとして、第１の向き、及び、第２の向きを交互に検出したか否かを判定する。具体的には、向き判定部５２は、向き検出部５１が今回読取画像の向きとして第１の向きを検出すると、記憶部１１に記憶されている読取画像のうち、読取部２によって前回読み取られた画像の向きが第２の向きであるか否かを判定する。以下、読取部２によって前回読み取られた画像を前回読取画像と記載する。第２の向きは、第１の向きを１８０度回転させた向きである。また、向き判定部５２は、向き検出部５１が今回読取画像の向きとして第２の向きを検出すると、前回読取画像の向きが第１の向きであるか否かを判定する。つまり、向き判定部５２は、今回読取画像の向きが前回読取画像の向きと一致するか否かを判定する。今回読取画像の向きが前回読取画像の向きに一致することを向き判定部５２が判定すると、画像処理用ＡＳＩＣ５は、利用者にエラーを通知する。具体的には、画像処理用ＡＳＩＣ５は、操作制御部１３を介して表示部３に今回読取画像の向きが前回読取画像の向きと一致する旨を表示させる。
【００２６】
向き設定部５３は、向き判定部５２が今回読取画像の向きを判定できなかった場合に、今回読取画像の向きを設定する。画像処理用ＡＳＩＣ５は、向き設定部５３が設定した今回読取画像の向きを記憶部１１に記憶させる。
【００２７】
詳しくは、向き設定部５３は、向き判定部５２が今回読取画像の向きを判定できなかった場合、記憶部１１に前回読取画像の向きが記憶されているか否かを判定する。向き設定部５３は、記憶部１１に前回読取画像の向きが記憶されていないと判定した場合、今回読取画像の向きとして、予め設定された向きを設定する。具体的には、向き設定部５３は、見開き原稿Ｂの第１ページの読取画像の向きが検出されなかった場合に、見開き原稿Ｂの第１ページの読取画像の向きとして予め設定された向きを設定する。
【００２８】
一方、向き設定部５３は、記憶部１１に前回読取画像の向きが記憶されていると判定した場合、今回読取画像の向きを前回読取画像の向きに基づいて設定する。つまり、向き検出部５１によって見開き原稿Ｂの第２ページ以降の読取画像の向きが検出できなかった場合、向き設定部５３は、今回読取画像の向きを前回読取画像に基づいて設定する。詳しくは、向き設定部５３は、今回読取画像の向きとして、前回読取画像の向きと反対の向き（１８０度回転させた向き）を設定する。具体的には、前回読取画像の向きが第１の向きである場合、向き設定部５３は、今回読取画像の向きとして第２の向きを設定する。
【００２９】
白紙検知部５４は、読取画像が白紙であるか否かを検知する。本実施形態では、白紙検知部５４は、読取画像の輝度値に基づいて読取画像が白紙であるか否かを検知する。
【００３０】
画像編集部５５は、入力部４に対する利用者の入力操作に応じて読取画像を編集する。画像編集部５５は、順番入替部５５１及び読取画像削除部５５２を有する。
【００３１】
順番入替部５５１は、利用者が入力部４に対して今回読取画像の順番と前回読取画像の順番との入れ替えを示す入力操作を行うと、今回読取画像の順番と前回読取画像の順番とを入れ替える。詳しくは、順番入替部５５１は、入替フラグがＯＮであるか否かを判定する。入替フラグがＯＮである場合、順番入替部５５１は、今回読取画像の順番と前回読取画像の順番とを入れ替える。利用者が入力部４に対して今回読取画像の順番と前回読取画像の順番との入れ替えを示す入力操作を行うと、入替フラグは、ＯＦＦからＯＮへ切り替わる。また、今回読取画像の順番と前回読取画像の順番とを入れ替える処理が完了すると、入替フラグは、ＯＮからＯＦＦへ切り替わる。
【００３２】
利用者が読取画像の削除を示す入力操作を行うと、読取画像削除部５５２は、今回読取画像及び今回読取画像の属性を記憶部１１から削除する。あるいは、読取画像削除部５５２は、今回読取画像及び今回読取画像の属性に加えて前回読取画像及び前回読取画像の属性を記憶部１１から削除する。
【００３３】
続いて、図３及び図４を参照して、洋綴じの見開き原稿Ｂを原稿台２１に載置した場合の読取画像の向きについて説明する。図３（ａ）は、原稿台２１の上に、見開き原稿Ｂが第１の方向に載置された状態を示す図である。図３（ｂ）は、第１の方向に載置された見開き原稿Ｂの読取画像Ｐ１を示す図である。図４（ａ）は、原稿台２１の上に、見開き原稿Ｂが第２の向きに載置された状態を示す図である。図４（ｂ）は、第２の状態に載置された見開き原稿Ｂの読取画像Ｐ２を示す図である。なお、図３（ｂ）及び図４（ｂ）では、理解を容易にするために原稿台２１を破線で示している。
【００３４】
利用者は、見開き原稿Ｂの左側のページを図３（ａ）に示すように原稿台２１に載置する。詳しくは、左側のページの上端が読取部２の副走査方向Ｄにおける読取開始位置Ｓと一致するように見開き原稿Ｂを載置する。この状態で、読取部２が画像を読み取ると、読取画像Ｐ１の向きは、図３（ｂ）に示すように、第１の向きＤ１となる。
【００３５】
次に、利用者は、見開き原稿Ｂを１８０度反転させて、右側のページを図４（ａ）に示すように、原稿台２１に載置する。詳しくは、右側のページの下端が読取開始位置Ｓと一致するように見開き原稿Ｂに載置する。この状態で読取部２が画像を読み取ると、読取画像Ｐ２の向きは、図４（ｂ）に示すように、第２の向きＤ２となる。
【００３６】
利用者は、見開き原稿Ｂのページを捲って、図３及び図４で示す動作を複数回繰り返す。
【００３７】
次に、図１〜図６を参照して、原稿読取装置１の動作（原稿読取方法）について説明する。なお、原稿読取装置１の動作開始時点では、入替フラグはＯＦＦである。
【００３８】
利用者が見開き原稿Ｂを原稿台２１に載置した後に、入力部４に対して読み取りを指示する入力操作を行うと、図５に示すように、読取部２は、原稿の画像を読み取る（ステップＳ２）。読取部２によって今回読み取られた今回読取画像は、白紙検知部５４によって白紙であるか否かが検知される（ステップＳ４）。今回読取画像が白紙であると白紙検知部５４が検知すると（ステップＳ４：Ｙｅｓ）、処理は、ステップＳ１４へ進む。一方、今回読取画像が白紙でないと白紙検知部５４が検知すると（ステップＳ４：Ｎｏ）、向き検出部５１は、今回読取画像の向きを検出する（ステップＳ６）。
【００３９】
向き検出部５１による今回読取画像の向きの検出が成功した場合（ステップＳ８：Ｙｅｓ）、画像処理用ＡＳＩＣ５は、今回読取画像の向きを記憶部１１に記憶させる（ステップＳ１０）。次に、処理は、図６に示すステップＳ１２へ進む。一方、向き検出部５１による今回読取画像の向きの検出が成功しなかった場合（ステップＳ８：Ｎｏ）、処理は、ステップＳ１４へ進む。
【００４０】
今回読取画像が白紙であると白紙検知部５４が検知した場合（ステップＳ４：Ｙｅｓ）、及び、向き検出部５１による今回読取画像の向きの検出が成功しなかった場合（ステップＳ８：Ｎｏ）、向き設定部５３は、記憶部１１に前回読取画像の向きが記憶されているか否かを判定する（ステップＳ１４）。
【００４１】
向き設定部５３は、記憶部１１に前回読取画像の向きが記憶されていないと判定すると（ステップＳ１４：Ｎｏ）、今回読取画像の向きとして予め設定された向きを設定する（ステップＳ１６）。次に、処理は、ステップＳ１２へ進む。一方、向き設定部５３は、記憶部１１に前回読取画像の向きが記憶されていると判定すると（ステップＳ１４：Ｙｅｓ）、今回読取画像の向きとして、前回読取画像の向きを１８０度回転させた向きを設定する（ステップＳ１８）。次に、処理は、ステップＳ１２へ進む。
【００４２】
図６に示すように、向き判定部５２は、今回読取画像の向きが前回読取画像の向きと一致するか否かを判定する（ステップＳ１２）。今回読取画像の向きが前回読取画像の向きに一致しないと向き判定部５２が判定すると（ステップＳ１２：Ｎｏ）、画像編集部５５は、入替フラグがＯＮであるか否かを判定する（ステップＳ２０）。入替フラグがＯＮでないと画像編集部５５が判定すると（ステップＳ２０：Ｎｏ）、画像処理用ＡＳＩＣ５は、今回読取画像が読み取られた順番を記憶部１１に記憶させる（ステップＳ２２）。次に、処理はステップＳ２４へ進む。
【００４３】
一方、入替フラグがＯＮであると画像編集部５５が判定すると（ステップＳ２０：Ｙｅｓ）、順番入替部５５１は、今回読取画像の順番と前回読取画像との順番を入れ替える（ステップＳ２６）。次に、画像処理用ＡＳＩＣ５が入替フラグをＯＦＦに切り替える（ステップＳ２８）。次に、処理は、ステップＳ２４へ進む。
【００４４】
ステップＳ２４では、所定時間内に利用者が入力部４に対して読取完了を指示する入力操作を行った場合（ステップＳ２４：Ｙｅｓ）、処理は、終了する。一方、所定時間内に利用者が入力部４に対して読取を指示する入力操作を行った場合（ステップＳ２４：Ｎｏ）、処理はステップＳ２へ戻る。また、所定時間内に利用者が入力部４に対して読取を指示する入力操作を行わなかった場合、処理は終了する。なお、所定時間内に利用者が入力部４に対してキャンセルを指示する入力操作を行った場合に、処理を終了させてもよい。
【００４５】
また、今回読取画像の向きが前回読取画像の向きに一致することを向き判定部５２が判定すると（ステップＳ１２：Ｙｅｓ）、画像処理用ＡＳＩＣ５は、所定のメッセージを表示させる（ステップＳ３０）。詳しくは、画像処理用ＡＳＩＣ５は、表示部３に、今回読取画像の向きと前回読取画像の向きとが一致する旨のメッセージを表示させる。また、画像処理用ＡＳＩＣ５は、表示部３に「ページ削除」、「ページ編集」及び「続行」のメッセージも併せて表示させる。その後、利用者による入力操作が行われると、画像編集部５５は、利用者の入力操作が「ページ削除」、「ページ編集」及び「続行」のいずれであるかを判定する（ステップＳ３２）。
【００４６】
利用者の入力操作が「続行」であると画像編集部５５が判定すると（ステップＳ３２：Ｃ）、処理は、ステップＳ２０へ進む。
【００４７】
また、利用者の入力操作が「ページ編集」であると画像編集部５５が判定すると（ステップＳ３２：Ｅ）、画像処理用ＡＳＩＣ５は、入替フラグをＯＮに切り替える（ステップＳ３６）。次に、処理は、ステップＳ２４へ進む。
【００４８】
また、利用者の入力操作が「ページ削除」であると画像編集部５５が判定すると（ステップＳ３２：Ｄ）、読取画像削除部５５２は、今回読取画像、及び、今回読取画像の属性を記憶部１１から削除する（ステップＳ３４）。次に、処理は、ステップＳ２４へ進む。なお、画像編集部５５は、今回読取画像の画像データ及び今回読取画像の属性を示すデータに加えて、前回読取画像の画像データ、及び、前回読取画像の属性を示すデータを削除することもできる。
【００４９】
なお、ステップＳ１２では、今回読取画像の向きが前回読取画像の向きと一致するか否かを向き判定部５２が判定したが、これに替えて、画像処理用ＡＳＩＣ５が今回読取画像と前回読取画像とが一致するか否かを判定してもよい。具体的には、画像処理用ＡＳＩＣ５は、パターンマッチングによって今回読取画像と前回読取画像とが一致するか否かを判定する。
【００５０】
以上、本実施形態に係る原稿読取装置１について説明した。本実施形態によれば、原稿読取装置１は、今回読取画像の向きが前回読取画像の向きと一致する場合に、表示部３に今回読取画像の向きが前回読取画像の向きと一致する旨のメッセージを表示させることができる。これにより、利用者は、原稿台２１に載置すべき見開き原稿のページを誤ったことを知ることができる。つまり、利用者は、読取処理の度に表示部３を確認する必要がなくなり、表示部３にメッセージが表示された時だけ表示部３を確認すればよい。したがって、見開き原稿Ｂの読み取り作業の効率化を図ることができる。
【００５１】
また、本実施形態によれば、利用者が原稿台２１に載置すべき見開き原稿のページを誤った場合に、今回読取画像の順番と前回読取画像の順番とを入れ替えることができる。このため、原稿台２１に載置すべきページを誤った場合に、読取画像の順番を入れ替えることにより、読取画像の順番を所望の順番にすることができる。また、本実施形態によれば、今回読取画像の削除、あるいは、今回読取画像及び前回読取画像の削除をすることができる。このため、同一ページが重複して読み取られた場合であっても、不要なページの読取画像を削除することができる。したがって、見開き原稿Ｂの読み取り作業の効率化をより図ることができる。
【００５２】
また、本実施形態によれば、白紙検知部５４は、読取画像が白紙であるか否かを検知することができる。これにより、向き検出部５１は、白紙ページの読取画像の向きを検出する必要がなくなる。この結果、向き検出部５１による読取画像の向きの検出時間を短縮することができる。したがって、見開き原稿Ｂの読み取り作業の効率化をより図ることができる。
【００５３】
なお、本実施形態では、原稿読取装置１は、今回読取画像の向きと記憶部１１に記憶された前回読取画像の向きとが一致する場合に、表示部３に前回読取画像の向きと今回読取画像の向きとが一致する旨のメッセージを表示させたが、本発明はこれに限定されない。例えば、原稿読取装置１は、見開き原稿の第１ページの向きと今回読取画像が読み取られた順番とに基づいて、今回読取画像の向きを演算する。この場合、原稿読取装置１は、演算によって求められた今回読取画像の向きと、向き検出部５１によって検出された今回読取画像の向きとが一致しない場合に、表示部３に、エラーを表示させる。
【００５４】
以上、本発明の実施形態について、図面（図１〜図６）を参照しながら説明した。但し、本発明は、上記の実施形態に限られるものではなく、その要旨を逸脱しない範囲で種々の態様において実施することが可能である。
【産業上の利用可能性】
【００５５】
本発明は、原稿読取装置を備えた画像形成装置に有用である。
【符号の説明】
【００５６】
１        原稿読取装置
２        読取部
３        表示部
５１      向き検出部
５２      向き判定部
【図１】
0006344283.tif 000002
【図２】
0006344283.tif 000003
【図３】
0006344283.tif 000004
【図４】
0006344283.tif 000005
【図５】
0006344283.tif 000006
【図６】
0006344283.tif 000007